(57)【要約】【課題】コンテンツデータに基づいて、ページ折り等を含む印刷仕上がり体裁も再現可能な印刷支援システム、印刷支援プログラム、及び、印刷支援方法を提供する。【解決手段】ホスト端末１００は、コンテンツデータを取得するコンテンツデータ取得部１０と、コンテンツ連続性解析部２０と、印刷仕上がり体裁推定部３０と、を備えて構成される。コンテンツ連続性解析部２０は、文字組み方向情報取得部２２と、ページ連続性判定部２３と、を備えて構成され、コンテンツデータにおけるコンテンツの連続性を解析する。文字組み方向情報取得部２２により連続するページ間の綴じ位置等を判定できる。また、ページ連続性判定部２３により隣接していないページ間の連続性を判定できる。これらの情報から適切な印刷仕上がり体裁を推定できる。【選択図】図１
2008165305.tif 000002
【特許請求の範囲】
【請求項１】
複数のページからなるコンテンツデータを当該コンテンツデータに応じた印刷仕上がり
体裁に印刷するのを支援する印刷支援システムであって、
前記コンテンツデータを取得するコンテンツデータ取得手段と、前記コンテンツデータ
取得手段により取得したコンテンツデータにおけるコンテンツの連続性に基づいて、該コ
ンテンツデータの印刷仕上がり体裁を推定する印刷仕上がり体裁推定手段と、を備えるこ
とを特徴とする印刷支援システム。
【請求項２】
少なくとも前記コンテンツデータのページ数を含む前記コンテンツデータの属性情報を
取得する属性情報取得手段を備え、
前記印刷仕上がり体裁推定手段は、前記属性情報取得手段により取得した前記属性情報
をさらに参照して、少なくとも印刷物のページ配置及び該印刷物のページと前記コンテン
ツデータのページとの対応関係を含む前記コンテンツデータの印刷仕上がり体裁を推定す
ることを特徴とする請求項１に記載の印刷支援システム。
【請求項３】
前記コンテンツデータのページ内における文字の連続方向である文字組み方向情報を取
得する文字組み方向情報取得手段を備え、
前記印刷仕上がり体裁推定手段は、前記文字組み方向情報取得手段により取得した文字
組み方向情報に基づいて、綴じ位置を含む前記コンテンツデータの印刷仕上がり体裁を推
定することを特徴とする請求項１又は２に記載の印刷支援システム。
【請求項４】
前記コンテンツデータ取得手段により取得したコンテンツデータに基づいて、該コンテ
ンツデータに含まれる連続する文字の配置位置の関係から前記文字組み方向を判定する文
字組み方向判定手段を備え、
前記文字組み方向情報取得手段は、前記文字組み方向判定手段による判定結果を前記文
字組み方向情報として取得することを特徴とする請求項３に記載の印刷支援システム。
【請求項５】
前記コンテンツデータの複数のページの中からコンテンツが連続する関係にあるページ
対を判定するページ連続性判定手段を備え、
前記印刷仕上がり体裁推定手段は、前記ページ連続性判定手段により連続する関係にあ
ると判定したページ対を印刷物において連続的に閲覧させることのできる印刷仕上がり体
裁を、前記コンテンツデータの印刷仕上がり体裁として推定することを特徴とする請求項
１〜４のいずれかに記載の印刷支援システム。
【請求項６】
前記ページ連続性判定手段は、前記コンテンツデータの複数のページに記述された文字
列が、文脈が連続する関係にあることを判定する文脈連続性判定部を備え、該文脈が連続
する関係にあるページ対を前記コンテンツが連続する関係にあるページ対と判定すること
を特徴とする請求項５に記載の印刷支援システム。
【請求項７】
前記ページ連続性判定手段は、前記コンテンツデータの複数のページに記述された画像
が、同じ１つの画像の連続領域の画像であることを判定する画像連続性判定部を備え、該
連続領域の画像であると判定されたページ対を前記コンテンツが連続する関係にあるペー
ジ対と判定することを特徴とする請求項５又は６に記載の印刷支援システム。
【請求項８】
印刷仕様又は印刷設定を含む印刷ジョブ定義データを、前記印刷仕上がり体裁推定手段
による推定結果に応じて生成する印刷ジョブ定義データ生成手段を備えることを特徴とす
る請求項１〜７のいずれかに記載の印刷支援システム。
【請求項９】
印刷装置の機器能力を示す印刷装置情報を取得する印刷装置情報取得手段を備え、
前記印刷ジョブ定義データ生成手段は、前記印刷仕上がり体裁推定手段による推定結果
に応じて、前記印刷装置情報取得手段により印刷装置情報を取得した印刷装置の印刷設定
を含む前記印刷ジョブ定義データを生成することを備えることを特徴とする請求項８に記
載の印刷支援システム。
【請求項１０】
複数のページからなるコンテンツデータを当該コンテンツデータに応じた印刷仕上がり
体裁に印刷するのを支援する印刷支援プログラムであって、
前記コンテンツデータを取得するコンテンツデータ取得ステップと、前記コンテンツデ
ータ取得ステップにより取得したコンテンツデータにおけるコンテンツの連続性に基づい
て、該コンテンツデータの印刷仕上がり体裁を推定する印刷仕上がり体裁推定ステップと
、からなる処理をコンピュータに実行させるためのプログラムを含むことを特徴とする印
刷支援プログラム。
【請求項１１】
複数のページからなるコンテンツデータを当該コンテンツデータに応じた印刷仕上がり
体裁に印刷するのを支援する印刷支援方法であって、
前記コンテンツデータを取得するコンテンツデータ取得ステップと、前記コンテンツデ
ータ取得ステップにより取得したコンテンツデータにおけるコンテンツの連続性に基づい
て、該コンテンツデータの印刷仕上がり体裁を推定する印刷仕上がり体裁推定ステップと
、を含むことを特徴とする印刷支援方法。
【発明の詳細な説明】
【技術分野】
【０００１】
本発明は、コンテンツデータに応じた適切な印刷結果を得ることができる印刷支援シス
テム、印刷支援プログラム、及び、印刷支援方法に関する。
【背景技術】
【０００２】
近年、各種のカタログや資料をＰＤＦ（Ｐｏｒｔａｂｌｅ  Ｄｏｃｕｍｅｎｔ  Ｆｏｒ
ｍａｔ）データのようなコンテンツデータでＩｎｔｅｒｎｅｔ上に公開することが一般的
になってきている。
しかしながら、カタログ等の印刷物の印刷仕上がり体裁は、一般的な文書等と異なり、
三つ折や観音折等のページ折り等を含む複雑な印刷仕上がり体裁であることがある。この
様な印刷物について、コンテンツデータに付されたぺージ番号から、ユーザが印刷仕上が
り体裁を推定するのは非常に困難である。
【０００３】
これに対し、特許文献１には、印刷の際、帳票等のコンテンツデータの描画命令パター
ンをデータベースに蓄積することで、次に同じ帳票等を印刷するときに、同じ描画命令を
抽出した時点で、過去に印刷した同一の印刷設定を適用するという技術が開示されている
。
【特許文献１】特開２００６−１７８７４７号公報
【発明の開示】
【発明が解決しようとする課題】
【０００４】
しかしながら、上記特許文献１に示す技術では、過去に印刷したパターンとの比較を行
っているため、過去に印刷したことのない新しいコンテンツデータを印刷する際に、適切
な印刷仕上がり体裁に印刷することができなかった。
本発明は上述の問題点に鑑みてなされたものであり、コンテンツデータに基づいて、ペ
ージ折り等を含む印刷仕上がり体裁も再現可能な印刷支援システム、印刷支援プログラム
、及び、印刷支援方法を提供することを目的としている。
【課題を解決するための手段】
【０００５】
［形態１］上記課題を解決するために、形態１による印刷支援システムは、
複数のページからなるコンテンツデータを当該コンテンツデータに応じた印刷仕上がり
体裁に印刷するのを支援する印刷支援システムであって、
前記コンテンツデータを取得するコンテンツデータ取得手段と、前記コンテンツデータ
取得手段により取得したコンテンツデータにおけるコンテンツの連続性に基づいて、該コ
ンテンツデータの印刷仕上がり体裁を推定する印刷仕上がり体裁推定手段と、を備えるこ
とを特徴とする。
【０００６】
このように構成すれば、コンテンツの連続性に基づいて、コンテンツデータの各ページ
のつながりから、コンテンツデータの印刷仕上がり体裁が推定される。
これにより、ページ番号等により一次元的に配列され又は全く配列されることなく取得
されるコンテンツデータの状態から、ページ折り等を含む複雑な印刷仕上がり体裁の印刷
物のページ配置を再現できるので、適切な印刷物を得られる。
【０００７】
ここで、コンテンツデータ取得手段は、コンテンツデータを取得するようになっていれ
ばどのような構成であってもよく、例えば、入力装置等からコンテンツデータを入力して
もよいし、外部の装置等からコンテンツデータを獲得または受信してもよいし、記憶装置
や記憶媒体等からコンテンツデータを読み出してもよい。したがって、取得には、少なく
とも入力、獲得、受信および読出が含まれる。後述の属性情報取得手段その他取得の概念
については同じである。
【０００８】
また、「コンテンツの連続性に基づいて」とは、コンテンツが連続していること、その
連続の態様（例えば、ページ内におけるコンテンツの連続方向、コンテンツがページをま
たいで連続している場合には、コンテンツが連続する関係にあるページの情報や当該ペー
ジをまたぐコンテンツの連続方向（左ページから右ページに向かって連続するか、右ペー
ジから左ページに向かって連続するか、上下方向に連続するか等））に基づいて、印刷仕
上がり体裁を推定することを意味する。以下、形態１０の印刷支援プログラム、及び、形
態１９の印刷支援方法において同じである。
【０００９】
また、印刷仕上がり体裁とは、印刷前処理（プリプレス）および印刷処理（プレス）、
並びに印刷後処理（ポストプレス）の結果、最終的な成果物として出力される印刷物の体
裁をいう。例えば、製版、面付等のプリプレス、印刷機による狭義の印刷であるプレス、
印刷された用紙の折り、断裁、綴じ等のポストプレスの一連の印刷処理を経て最終的に得
られる印刷物の仕上がりサイズ、折りなどの形態である。以下、形態１０の印刷支援プロ
グラム、及び、形態１９の印刷支援方法において同じである。
【００１０】
また、「複数のページからなるコンテンツデータ」と記述した場合におけるページは、
紙面一面を意味するのではなく、内容的に区切られたページ単位を意味する。つまり、例
えば、紙面一面に２ページ分を割り付けたコンテンツデータは、２ページのコンテンツデ
ータである。以下、形態１０の印刷支援プログラム、及び、形態１９の印刷支援方法にお
いて同じである。
また、本システムは、単一の装置、端末その他の機器として実現するようにしてもよい
し、複数の装置、端末その他の機器を通信可能に接続したネットワークシステムとして実
現するようにしてもよい。後者の場合、各構成要素は、それぞれ通信可能に接続されてい
れば、複数の機器等のうちいずれに属していてもよい。
【００１１】
［形態２］  さらに、形態２による印刷支援システムは、形態１において、
少なくとも前記コンテンツデータのページ数を含む前記コンテンツデータの属性情報を
取得する属性情報取得手段を備え、
前記印刷仕上がり体裁推定手段は、前記属性情報取得手段により取得した前記属性情報
をさらに参照して、少なくとも印刷物のページ配置及び該印刷物のページと前記コンテン
ツデータのページとの対応関係を含む前記コンテンツデータの印刷仕上がり体裁を推定す
ることを特徴とする。
【００１２】
このように構成すれば、コンテンツデータのページ数等のコンテンツデータ全体につい
ての属性情報と、各ページ間又は特定のページ間のつながりを示す情報に基づいて、印刷
物全体のページ配置が推定される。
これにより、ページ番号等により一次元的に配列され又は全く配列されることなく取得
されるコンテンツデータの状態から、ページ折り等を含む複雑な印刷仕上がり体裁の印刷
物のページ配置を再現できるので、適切な印刷物を得られる。
【００１３】
ここで、印刷物のぺージ配置とは、印刷物の各ページが他のページとどのように結合し
ているかを示す印刷物のページ構成であり、印刷物の綴じ方、折り方、ページ数等により
決まる。以下、形態１１の印刷支援プログラム、及び、形態２０の印刷支援方法において
同じである。
ここで、コンテンツデータの属性情報としては、例えば、コンテンツデータのページサ
イズ、方向（ページサイズの長手方向を上下にしているか、左右にしているか、又は、あ
る角度に設定しているかの方向を意味し、例えば、ページサイズがＡ４サイズである場合
に、長手方向を上下にしているか（いわゆる縦置き）又は左右にしているか（いわゆる横
置き）等である。）などの情報が挙げられる。以下、形態１１の印刷支援プログラム、及
び、形態２０の印刷支援方法において同じである。
【００１４】
また、コンテンツデータの属性情報は、コンテンツデータと一体に構成してもよいし、
コンテンツデータとは別体に構成してもよい。後者の場合、コンテンツデータ及び属性情
報が関連づけられていればよく、関連付けの方法しては、例えば、ＵＲＬ（Ｕｎｉｆｏｒ
ｍ  Ｒｅｓｏｕｒｃｅ  Ｌｏｃａｔｏｒ）やファイルパス等の属性情報の所在を示す情報
をコンテンツデータに埋め込んでもよいし、コンテンツデータの所在を示す情報を属性情
報に埋め込んでもよい。以下、形態１１の印刷支援プログラム、及び、形態２０の印刷支
援方法において同じである。
【００１５】
［形態３］  さらに、形態３による印刷支援システムは、形態１又は２において、
前記コンテンツデータのページ内における文字の連続方向である文字組み方向情報を取
得する文字組み方向情報取得手段を備え、
前記印刷仕上がり体裁推定手段は、前記文字組み方向情報取得手段により取得した文字
組み方向情報に基づいて、綴じ位置を含む前記コンテンツデータの印刷仕上がり体裁を推
定することを特徴とする。
【００１６】
このように構成すれば、文字組み方向に基づいて、各ページ間の綴じ位置（見開き方向
、折り位置と同じ意味）を決定でき、コンテンツデータの印刷仕上がり体裁が推定される
。これにより、ページ番号等により一次元的に配列され又は全く配列されることなく取得
されるコンテンツデータの状態から、ページ折り等を含む複雑な印刷仕上がり体裁の印刷
物のページ配置を再現できるので、適切な印刷物を得られる。
【００１７】
［形態４］  さらに、形態４による印刷支援システムは、形態３において、
前記コンテンツデータ取得手段により取得したコンテンツデータに基づいて、該コンテ
ンツデータに含まれる連続する文字の配置位置の関係から前記文字組み方向を判定する文
字組み方向判定手段を備え、
前記文字組み方向情報取得手段は、前記文字組み方向判定手段による判定結果を前記文
字組み方向情報として取得することを特徴とする。
このように構成すれば、コンテンツデータに文字組み方向を示す情報がないときにも、
コンテンツデータを解析することで、文字組み方向の情報を得ることができ、これにより
、印刷仕上がり体裁を推定できる。
【００１８】
［形態５］  さらに、形態５による印刷支援システムは、形態１〜４のいずれかにおい
て、
前記コンテンツデータの複数のページの中からコンテンツが連続する関係にあるページ
対を判定するページ連続性判定手段を備え、
前記印刷仕上がり体裁推定手段は、前記ページ連続性判定手段により連続する関係にあ
ると判定したページ対を印刷物において連続的に閲覧させることのできる印刷仕上がり体
裁を、前記コンテンツデータの印刷仕上がり体裁として推定することを特徴とする。
【００１９】
このように構成すれば、コンテンツデータのページ番号等からでは判定できない、印刷
物のページの連続性を判定でき、これに基づき、この連続性を実現する印刷仕上がり体裁
が推定される。
これにより、ページ番号等により一次元的に配列され又は全く配列されることなく取得
されるコンテンツデータの状態から、ページ折り等を含む複雑な印刷仕上がり体裁の印刷
物のページ配置を再現できるので、適切な印刷物を得られる。
【００２０】
ここで、「印刷物において連続的に閲覧させる」状態としては、例えば、コンテンツが
連続する関係にあるページ対を紙面の表裏ページに配置したり、ページ折りを含む印刷物
を展開したときに同一平面に表されるページに配置したりすることにより実現される。
なお、連続関係にあるページ対が複数ある場合には、そのページ対の組み合わせに基づ
いて、適切なページ対の印刷物における連続性を実現する印刷仕上がり体裁を推定する。
【００２１】
［形態６］  さらに、形態６による印刷支援システムは、形態５において、
前記ページ連続性判定手段は、前記コンテンツデータの複数のページに記述された文字
列が、文脈が連続する関係にあることを判定する文脈連続性判定部を備え、該文脈が連続
する関係にあるページ対を前記コンテンツが連続する関係にあるページ対と判定すること
を特徴とする。
【００２２】
このように構成すれば、コンテンツに文字を含む場合に、複数のページに分かれて記述
された同一の段落に含まれる文章や同一の文章に含まれる文字列等に基づいて、連続する
ページ対を判定できる。従って、コンテンツデータの体裁上は欠如してしまう、ページ折
り等を含む印刷物のページ配置の情報も再現できるので、適切な印刷結果を得ることがで
きる。なお、文脈の連続方向により、該ページ対間のページ方向（見開き方向、綴じ位置
）も決定できる。
【００２３】
［形態７］  さらに、形態７による印刷支援システムは、形態５又は６において、
前記ページ連続性判定手段は、前記コンテンツデータの複数のページに記述された画像
が、同じ１つの画像の連続領域の画像であることを判定する画像連続性判定部を備え、該
連続領域の画像であると判定されたページ対を前記コンテンツが連続する関係にあるペー
ジ対と判定することを特徴とする。
【００２４】
このように構成すれば、コンテンツに画像を含む場合に、複数のページに記述された画
像が同一の画像の連続領域の画像であるかを判定することで、連続するページ対を判定で
きる。従って、コンテンツデータの体裁上は欠如してしまう、ページ折り等を含む印刷物
のページ配置の情報も再現できるので、適切な印刷結果を得ることができる。なお、画像
の連続方向により、当該ページ対間のページ方向（見開き方向、綴じ位置）も決定できる
。
【００２５】
［形態８］  さらに、形態８による印刷支援システムは、形態１〜７のいずれかにおい
て、
印刷仕様又は印刷設定を含む印刷ジョブ定義データを、前記印刷仕上がり体裁推定手段
による推定結果に応じて生成する印刷ジョブ定義データ生成手段を備えることを特徴とす
る。
【００２６】
このように構成すれば、印刷仕上がり体裁推定手段によって推定した印刷仕上がり体裁
に印刷するのに必要な印刷ジョブ定義データが生成される。そして、この印刷ジョブ定義
データを取得した装置において、印刷仕上がり体裁推定手段によって推定した印刷仕上が
り体裁でコンテンツデータを印刷できる。従って、印刷ジョブ定義データを取得した装置
において、ページ折り等を含む複雑な印刷仕上がり体裁の印刷物についてそのページ配置
等を再現することができるので、適切な印刷結果を得られる。
【００２７】
ここで、印刷ジョブ定義データは、印刷仕様又は印刷設定を含むデータであり、例えば
、印刷ジョブ仕様データ又は印刷ジョブ設定データから構成することができる。印刷ジョ
ブ仕様データとは、印刷処理によって最終成果物として所望する印刷仕様が記載されたデ
ータをいう。具体的には、例えば、仕上がりサイズ、印刷媒体の種類、印刷仕上がり体裁
、印刷部数、両面印刷方法、印刷対象となるコンテンツデータ及びページ、並びに使用す
るインクに関する情報が含まれる。
【００２８】
また、印刷ジョブ設定データとは、印刷処理に用いる印刷装置の詳細な設定データをい
う。具体的には、例えば、面付け（折り、断裁を経て仕上がりサイズになるように、用紙
の一面に複数ページを割り付けて印刷すること）する際に用いる用紙のサイズ、面付方法
、面付における詳細な座標情報、折り方法および断裁位置に関する情報が含まれる。印刷
ジョブ設定データに含まれる設定データのなかには印刷ジョブ仕様データと重複する情報
もある。
【００２９】
［形態９］  さらに、形態９による印刷支援システムは、形態８において、
印刷装置の機器能力を示す印刷装置情報を取得する印刷装置情報取得手段と、
前記印刷ジョブ定義データ生成手段は、前記印刷仕上がり体裁推定手段による推定結果
に応じて、前記印刷装置情報取得手段により印刷装置情報を取得した印刷装置の印刷設定
を含む印刷ジョブ定義データを生成することを備えることを特徴とする。
【００３０】
このように構成すれば、印刷仕上がり体裁推定手段によって推定した印刷仕上がり体裁
に印刷するのに必要な印刷ジョブ設定データが生成される。そして、この印刷ジョブ設定
データを取得した印刷装置において、印刷仕上がり体裁推定手段によって推定した印刷仕
上がり体裁でコンテンツデータを印刷できる。従って、ページ折り等を含む複雑な印刷仕
上がり体裁の印刷物についてそのページ配置等を再現することができるので、適切な印刷
結果を得られる。
【００３１】
［形態１０］  さらに、形態１０による印刷支援プログラムは、
複数のページからなるコンテンツデータを当該コンテンツデータに応じた印刷仕上がり
体裁に印刷するのを支援する印刷支援プログラムであって、
前記コンテンツデータを取得するコンテンツデータ取得ステップと、前記コンテンツデ
ータ取得ステップにより取得したコンテンツデータにおけるコンテンツの連続性に基づい
て、該コンテンツデータの印刷仕上がり体裁を推定する印刷仕上がり体裁推定ステップと
、からなる処理をコンピュータに実行させるためのプログラムを含むことを特徴とする。
このような構成であれば、コンピュータによってプログラムが読み取られ、読み取られ
たプログラムに従ってコンピュータが処理を実行すると、形態１の印刷支援システムと同
等の作用及び効果が得られる。
【００３２】
［形態１１］  さらに、形態１１による印刷支援プログラムは、形態１０において、
少なくとも前記コンテンツデータのページ数を含む前記コンテンツデータの属性情報を
取得する属性情報取得ステップを含み、
前記印刷仕上がり体裁推定ステップでは、前記属性情報取得ステップにより取得した前
記属性情報をさらに参照して、少なくとも印刷物のページ配置及び該印刷物のページと前
記コンテンツデータのページとの対応関係を含む前記コンテンツデータの印刷仕上がり体
裁を推定することを特徴とする。
このように構成すれば、コンピュータによってプログラムが読み取られ、読み取られた
プログラムに従ってコンピュータが処理を実行すると、形態２の印刷支援システムと同等
の作用及び効果が得られる。
【００３３】
［形態１２］  さらに、形態１２による印刷支援プログラムは、形態１０〜１３のいず
れかにおいて、
前記コンテンツデータのページ内における文字の連続方向である文字組み方向情報を取
得する文字組み方向情報取得ステップを含み、
前記印刷仕上がり体裁推定ステップでは、前記文字組み方向情報取得ステップにより取
得した文字組み方向情報に基づいて、綴じ位置を含む前記コンテンツデータの印刷仕上が
り体裁を推定することを特徴とする。
このように構成すれば、コンピュータによってプログラムが読み取られ、読み取られた
プログラムに従ってコンピュータが処理を実行すると、形態２の印刷支援システムと同等
の作用及び効果が得られる。
【００３４】
［形態１３］  さらに、形態１３による印刷支援プログラムは、形態１２において、
前記コンテンツデータ取得ステップにより取得したコンテンツデータに基づいて、該コ
ンテンツデータに含まれる連続する文字の配置位置の関係から前記文字組み方向を判定す
る文字組み方向判定ステップを備え、
前記文字組み方向情報取得ステップでは、前記文字組み方向判定ステップによる判定結
果を前記文字組み方向情報として取得することを特徴とする。
このように構成すれば、コンピュータによってプログラムが読み取られ、読み取られた
プログラムに従ってコンピュータが処理を実行すると、形態４の印刷支援システムと同等
の作用及び効果が得られる。
【００３５】
［形態１４］  さらに、形態１４による印刷支援プログラムは、形態１０又は１１にお
いて、
前記コンテンツデータの複数のページの中からコンテンツが連続する関係にあるページ
対を判定するページ連続性判定ステップを備え、
前記印刷仕上がり体裁推定ステップでは、前記ページ連続性判定ステップにより連続す
る関係にあると判定したページ対を印刷物において連続的に閲覧させることのできる印刷
仕上がり体裁を、前記コンテンツデータの印刷仕上がり体裁として推定することを特徴と
する。
このように構成すれば、コンピュータによってプログラムが読み取られ、読み取られた
プログラムに従ってコンピュータが処理を実行すると、形態５の印刷支援システムと同等
の作用及び効果が得られる。
【００３６】
［形態１５］  さらに、形態１５による印刷支援プログラムは、形態１４において、
前記ページ連続性判定ステップは、前記コンテンツデータの複数のページに記述された
文字列が、文脈が連続する関係にあることを判定する文脈連続性判定ステップを含み、該
文脈が連続する関係にあるページ対を前記コンテンツが連続する関係にあるページ対と判
定することを特徴とする。
このような構成であれば、コンピュータによって記憶媒体からプログラムが読み取られ
、読み取られたプログラムに従ってコンピュータが処理を実行すると、形態６の印刷支援
システムと同等の作用および効果が得られる。
【００３７】
［形態１６］  さらに、形態１６による印刷支援プログラムは、形態１４又は１５にお
いて、
前記ページ連続性判定ステップは、前記コンテンツデータの複数のページに記述された
画像が、同じ１つの画像の連続領域の画像であることを判定する画像連続性判定ステップ
を含み、該連続領域の画像であると判定されたページ対を前記コンテンツが連続する関係
にあるページ対と判定することを特徴とする。
このように構成すれば、コンピュータによってプログラムが読み取られ、読み取られた
プログラムに従ってコンピュータが処理を実行すると、形態７の印刷支援システムと同等
の作用及び効果が得られる。
【００３８】
［形態１７］  さらに、形態１７による印刷支援プログラムは、形態１０〜１６のいず
れかにおいて、
印刷仕様又は印刷設定を含む印刷ジョブ定義データを、前記印刷仕上がり体裁推定ステ
ップによる推定結果に応じて生成する印刷ジョブ定義データ生成ステップを含むことを特
徴とする。
このように構成すれば、コンピュータによってプログラムが読み取られ、読み取られた
プログラムに従ってコンピュータが処理を実行すると、形態８の印刷支援システムと同等
の作用及び効果が得られる。
【００３９】
［形態１８］  さらに、形態１８による印刷支援プログラムは、形態１７において、
印刷装置の機器能力を示す印刷装置情報を取得する印刷装置情報取得ステップと、
前記印刷ジョブ定義データ生成ステップでは、前記印刷仕上がり体裁推定ステップによ
る推定結果に応じて、前記印刷装置情報取得ステップにより印刷装置情報を取得した印刷
装置の印刷設定を含む印刷ジョブ定義データを生成することを備えることを特徴とする。
このように構成すれば、コンピュータによってプログラムが読み取られ、読み取られた
プログラムに従ってコンピュータが処理を実行すると、形態９の印刷支援システムと同等
の作用及び効果が得られる。
【００４０】
［形態１９］  さらに、形態１９による印刷支援方法は、
複数のページからなるコンテンツデータを当該コンテンツデータに応じた印刷仕上がり
体裁に印刷するのを支援する印刷支援方法であって、
前記コンテンツデータを取得するコンテンツデータ取得ステップと、前記コンテンツデ
ータ取得ステップにより取得したコンテンツデータにおけるコンテンツの連続性に基づい
て、該コンテンツデータの印刷仕上がり体裁を推定する印刷仕上がり体裁推定ステップと
、を含むことを特徴とする。
これにより、形態１の印刷支援システムと同等の効果が得られる。
【００４１】
［形態２０］  さらに、形態２０による印刷支援方法は、形態１９において、
少なくとも前記コンテンツデータのページ数を含む前記コンテンツデータの属性情報を
取得する属性情報取得ステップを含み、
前記印刷仕上がり体裁推定ステップでは、前記属性情報取得ステップにより取得した前
記属性情報をさらに参照して、少なくとも印刷物のページ配置及び該印刷物のページと前
記コンテンツデータのページとの対応関係を含む前記コンテンツデータの印刷仕上がり体
裁を推定することを特徴とする。
これにより、形態２の印刷支援システムと同等の効果が得られる。
【００４２】
［形態２１］  さらに、形態２１による印刷支援方法は、形態１９〜２２のいずれかに
おいて、
前記コンテンツデータのページ内における文字の連続方向である文字組み方向情報を取
得する文字組み方向情報取得ステップを含み、
前記印刷仕上がり体裁推定ステップでは、前記文字組み方向情報取得ステップにより取
得した文字組み方向情報に基づいて、綴じ位置を含む前記コンテンツデータの印刷仕上が
り体裁を推定することを特徴とする。
これにより、形態３の印刷支援システムと同等の効果が得られる。
【００４３】
［形態２２］  さらに、形態２２による印刷支援方法は、形態２１において、
前記コンテンツデータ取得ステップにより取得したコンテンツデータに基づいて、該コ
ンテンツデータに含まれる連続する文字の配置位置の関係から前記文字組み方向を判定す
る文字組み方向判定ステップを備え、
前記文字組み方向情報取得ステップでは、前記文字組み方向判定ステップによる判定結
果を前記文字組み方向情報として取得することを特徴とする。
これにより、形態４の印刷支援システムと同等の効果が得られる。
【００４４】
［形態２３］  さらに、形態２３による印刷支援方法は、形態１９又は２０において、
前記コンテンツデータの複数のページの中からコンテンツが連続する関係にあるページ
対を判定するページ連続性判定ステップを備え、
前記印刷仕上がり体裁推定ステップでは、前記ページ連続性判定ステップにより連続す
る関係にあると判定したページ対を印刷物において連続的に閲覧させることのできる印刷
仕上がり体裁を、前記コンテンツデータの印刷仕上がり体裁として推定することを特徴と
する。
これにより、形態５の印刷支援システムと同等の効果が得られる。
【００４５】
［形態２４］  さらに、形態２４による印刷支援方法は、形態２３において、
前記ページ連続性判定ステップは、前記コンテンツデータの複数のページに記述された
文字列が、文脈が連続する関係にあることを判定する文脈連続性判定ステップを含み、該
文脈が連続する関係にあるページ対を前記コンテンツが連続する関係にあるページ対と判
定することを特徴とする。
これにより、形態６の印刷支援システムと同等の効果が得られる。
【００４６】
［形態２５］  さらに、形態２５による印刷支援方法は、形態２３又は２４において、
前記ページ連続性判定ステップは、前記コンテンツデータの複数のページに記述された
画像が、同じ１つの画像の連続領域の画像であることを判定する画像連続性判定ステップ
を含み、該連続領域の画像であると判定されたページ対を前記コンテンツが連続する関係
にあるページ対と判定することを特徴とする。
これにより、形態７の印刷支援システムと同等の効果が得られる。
【００４７】
［形態２６］  さらに、形態２６による印刷支援方法は、形態１９〜２５のいずれかに
おいて、
印刷仕様又は印刷設定を含む印刷ジョブ定義データを、前記印刷仕上がり体裁推定ステ
ップによる推定結果に応じて生成する印刷ジョブ定義データ生成ステップを含むことを特
徴とする。
これにより、形態８の印刷支援システムと同等の効果が得られる。
【００４８】
［形態２７］  さらに、形態２７による印刷支援方法は、形態２６において、
印刷装置の機器能力を示す印刷装置情報を取得する印刷装置情報取得ステップと、
前記印刷ジョブ定義データ生成ステップでは、前記印刷仕上がり体裁推定ステップによ
る推定結果に応じて、前記印刷装置情報取得ステップにより印刷装置情報を取得した印刷
装置の印刷設定を含む印刷ジョブ定義データを生成することを備えることを特徴とする。
これにより、形態９の印刷支援システムと同等の効果が得られる。
【発明を実施するための最良の形態】
【００４９】
次に、図面を参照して本発明の実施の形態について説明する。
［第１実施例］
（構成及び動作）
図１に、第１実施例にかかる印刷支援システムの構成を示す。
図１の印刷支援システムは、ホスト端末１００を備えて構成される。ホスト端末１００
は、コンテンツデータを取得し、当該コンテンツデータの印刷仕上がり体裁を推定し、そ
の推定結果に応じて印刷ジョブ仕様データを生成、出力するものである。ホスト端末１０
０から出力される印刷ジョブ仕様データは、記憶装置で取得したり、ネットワークを介し
て接続される他の端末等で受信したりして利用できる。また、本実施例で取得するコンテ
ンツデータは、複数のページからなるコンテンツがＰＤＦファイル等のページ記述言語（
ＰＤＬ）で記述されたファイルからなる。このコンテンツデータは、Ｉｎｔｅｒｎｅｔ等
のネットワークを介して取得してもよいし、記憶装置等から取得してもよい。
【００５０】
以下、図２に示すホスト端末１００による処理のフローチャートも参照して、ホスト端
末１００の各部を説明する。
ホスト端末１００は、コンテンツデータを取得するコンテンツデータ取得部１０と、前
処理部１１と、前処理部１１による変換後のコンテンツデータを保持するコンテンツデー
タ保持部１２と、属性情報取得部１３と、コンテンツ連続性解析部２０と、印刷仕上がり
体裁推定部３０と、印刷ジョブ定義データ生成部４０と、を備えて構成されている。
【００５１】
前処理部１１は、コンテンツデータ取得部１０により取得したコンテンツデータを、コ
ンテンツの連続性を解析するのに適切な形式に変換する前処理を行う。本実施例では、図
２のステップＳ１０１〜１０３に示す処理を行い、コンテンツデータの各ページのページ
サイズを揃える。以下、詳細に説明する。図２のステップＳ１０１では、コンテンツデー
タのページサイズが各ページで同一であるかを判定する。具体的には、コンテンツデータ
取得部１０から前処理部１１にコンテンツデータが入力されると、コンテンツデータから
各ページのページサイズ（横サイズ×縦サイズ）を示す情報を抽出し、各ページでページ
サイズが同一であるかを判定する。異なるページサイズのページを含む場合（ステップＳ
１０１：Ｎｏ）は、ステップＳ１０２に移行し、基準サイズ（基準横サイズ×基準縦サイ
ズ）を設定する。図２のフローでは、最小のページサイズを基準サイズに設定する。そし
て、続くステップＳ１０３で、コンテンツデータ正規化処理を行い、ステップＳ１０２で
設定した基準サイズにコンテンツデータの各ページのページサイズを揃える処理を行う。
なお、各ページでページサイズが同一である場合（ステップＳ１０１：Ｙｅｓ）は、コン
テンツデータ正規化処理等を行うことなく、コンテンツデータをそのままコンテンツデー
タ保持部１２に出力し、ステップＳ１０４に移行する。
【００５２】
図３に、コンテンツデータ正規化処理のフローチャートを示す。コンテンツデータ正規
化処理では、まずステップＳ２０１で処理ページをコンテンツデータの最初のページに設
定し、続くステップＳ２０２で処理ページが基準サイズであるか否かを判定する。処理ペ
ージが基準サイズである場合（ステップＳ２０２：Ｙｅｓ）は、調整を行う必要がないの
でステップＳ２０３〜Ｓ２０７の処理をスキップし、ステップＳ２０８に移行する。処理
ページが基準サイズでない場合（ステップＳ２０２：Ｎｏ）は、ステップＳ２０３に移行
する。
【００５３】
ステップＳ２０３では、処理ページの横サイズが基準横サイズの整数倍（以下、ｎ倍と
記すこともある。）で、かつ、処理ページの縦サイズが基準縦サイズであるか否かを判定
する。整数倍である場合（ステップＳ２０３：Ｙｅｓ）、処理ページはｎページ分の内容
を横方向に順に割り付けたものと考えることができるので、当該処理ページを横方向へｎ
ページに分割する。このとき、ｎページを構成する各ページの文字組み方向によって割り
付け方が異なることから、まず、コンテンツデータから当該各ページの文字組み方向を示
す情報を取得する（ステップＳ２０４）。そして、文字組み方向が横（文字が横書き）で
ある場合（ステップＳ２０４：横）は、綴じ方向が左、つまり左から右に向かってページ
順に割り付けられているので、左から順に処理ページを分割する。一方、文字組み方向が
縦（文字が縦書き）である場合（ステップＳ２０４：縦）は、綴じ方向が右であるので、
右から順に処理ページを分割する。その後、ステップＳ２０８に移行する。
【００５４】
一方、ステップＳ２０３で、処理ページの横サイズが基準横サイズの整数倍かつ処理ペ
ージの縦サイズが基準縦サイズであるケースではないとされた場合（ステップＳ２０３：
Ｎｏ）、ステップＳ２０７に移行してページサイズ調整処理を行う。例えば、処理ページ
の横サイズ及び縦サイズがそれぞれ基準サイズの所定倍（整数ではない）の範囲にある場
合に、縦又は横方向に拡大又は縮小することで、処理ページを基準サイズに揃える。その
後、ステップＳ２０８に移行する。
【００５５】
なお、前記ステップＳ２０３〜Ｓ２０７の処理は例示であり、これ以外にも処理ページ
の基準サイズからのずれとそれに対する調整方法との対応をコンテンツデータ正規化ルー
ルとして複数定めておく。そして、処理ページの状態に応じて最適なコンテンツデータ正
規化ルールを選択し、選択したコンテンツデータ正規化ルールに従って、処理ページを基
準サイズに揃える。例えば、前記ステップＳ２０３のように基準横サイズの整数倍である
場合に限らず、処理ページの縦サイズが基準縦サイズの整数倍である場合には、縦方向に
分割する処理を行う。前記のような分割処理やページサイズの拡大又は縮小処理のほか、
トリミング処理を行ったり、これら分割処理、拡大又は縮小処理、トリミング処理等を適
宜組み合わせたりすることもできる。
【００５６】
ステップＳ２０８では未処理ページがあるかを判定し、未処理ページがない場合（ステ
ップＳ２０８：Ｎｏ）は処理後のコンテンツデータ（正規化コンテンツデータ）をコンテ
ンツデータ保持部１２に出力する。一方、未処理ページが残っている場合（ステップＳ２
０８：Ｙｅｓ）は、未処理ページがなくなるまで前記ステップＳ２０２〜ステップＳ２０
８の処理を繰り返す。
【００５７】
以上のようにして、前処理部１１によりコンテンツデータの連続性を解析するための前
処理が行われ、前記のように、コンテンツデータ正規化処理を行った場合は変換後の正規
化コンテンツデータがコンテンツデータ保持部１２に出力される。また、コンテンツデー
タ正規化処理が行われなかった場合は、コンテンツデータ取得部１０により取得したコン
テンツデータがそのままコンテンツデータ保持部１２に出力される。
【００５８】
前記属性情報取得部１３は、コンテンツデータ保持部１２に保持されるコンテンツデー
タの属性情報を取得する。属性情報取得部１３が取得するコンテンツデータの属性情報は
、コンテンツの連続性とは異なるコンテンツデータの情報であって、印刷仕上がり体裁を
推定するのに必要な情報である。本実施例では、属性情報取得部１３は、コンテンツデー
タのページ数をコンテンツデータから取得し、印刷仕上がり体裁推定部３０に出力する。
この属性情報取得部１３による属性情報の取得処理は、図２のステップＳ１０４で前処理
部１１による処理に続いて実行される。
【００５９】
前記コンテンツ連続性解析部２０は、文字組み方向情報取得部２２と、ページ連続性判
定部２３と、を備えて構成され、コンテンツデータにおけるコンテンツの連続性を解析す
る。文字組み方向情報取得部２２による処理は、図２のステップＳ１０５において、属性
情報取得部１３による属性情報の取得処理に続いて実行される。文字組み方向情報取得部
２２は、コンテンツデータ保持部１２に保持されるコンテンツデータを参照し、各ページ
について文字組み方向情報を取得し、印刷仕上がり体裁推定部３０に出力する。なお、こ
の処理の内容は、コンテンツデータの各ページについて行われるという以外は、前記コン
テンツデータ正規化処理におけるステップＳ２０４の処理と同様である。
【００６０】
ページ連続性判定部２３によるページ連続性判定処理は、文字組み方向情報取得部２２
による処理に続いて実行され（図２のステップＳ１０６）、コンテンツが連続する関係に
あるページ対を判定する。そして、判定結果である連続関係にあるページ対の夫々の識別
情報（例えば、ページ番号）を印刷仕上がり体裁推定部３０に出力する。ページ連続性判
定部２３は、文脈連続性判定部２３ａと、画像連続性判定部２３ｂと、を備えて構成され
る。
【００６１】
文脈連続性判定部２３ａは、コンテンツデータの複数のページに記述された文字列が、
文脈が連続する関係にあることを判定し、当該文脈が連続する関係にあるページ対をコン
テンツが連続する関係にあるページ対と判定する。そして、当該連続関係にあるページ対
の夫々の識別情報（例えば、ページ番号）を出力する。具体的には、コンテンツデータの
各ページについて、ページ中に含まれる文字描画命令から文字コードを抽出して文字列を
抽出し、他のページ中に含まれる文字列と結合して構文解析を行い、構文が成立する場合
に当該ページ対が連続関係にあると判定する。ページ番号が連続するページ間に限らず、
全てのページの組み合わせについて、文脈の連続性を判定することで、コンテンツデータ
中で連続関係にある全てのページ対を抽出する。なお、文脈の連続性の判定は、各ページ
の対応する行ごとに、つまりあるページの行の末尾と他のページの同じ行（例えば、双方
のページの５行目）の先頭の文脈の連続性について判定してもよいし、あるページの末尾
と他のページの先頭の文脈の連続性を確認してもよい。
【００６２】
画像連続性判定部２３ｂは、コンテンツデータの複数のページに記述された画像が、同
じ１つの画像の連続領域の画像であることを判定し、当該連続領域の画像であると判定さ
れたページ対をコンテンツが連続する関係にあるページ対と判定する。そして、当該連続
関係にあるページ対の夫々の識別情報（例えば、ページ番号）を出力する。具体的には、
例えば、各ページのページ端部近傍の濃淡を検出し、濃淡の変化及び位置が一致する端部
を連続すると判定する。つまり、ページ端部近傍、例えば、各ページの横方向端部近傍に
ついて縦方向に沿って濃淡のヒストグラムを取り、異なるページ同士で比較し、当該ヒス
トグラムが一致するページ対を連続関係にあるページ対と判定する。同様に、各ページの
縦方向端部の連続性を判定する場合には、各ページの縦方向端部近傍について横方向に沿
う濃淡のヒストグラムを検出して異なるページ間で比較する。なお、横方向端部近傍の濃
淡ヒストグラムと縦方向端部近傍の濃淡ヒストグラムを比較してもよい。
【００６３】
前記印刷仕上がり体裁推定部３０は、コンテンツ連続性解析部２０から出力される解析
結果及び属性情報取得部１３から出力されるコンテンツデータの属性情報に基づいて、当
該コンテンツデータの印刷仕上がり体裁を推定する。この印刷仕上がり推定処理は、ペー
ジ連続性判定処理に続いて実行される（図２のステップＳ１０７）。印刷仕上がり体裁推
定部３０は、印刷仕上がり体裁推定ルールを複数記憶した推定ルール記憶部３１と、推定
ルール選択部３２と、を備えて構成されている。
【００６４】
図４は、印刷仕上がり体裁推定ルールのデータ構造を示す図である。印刷仕上がり体裁
推定ルールは、コンテンツデータの連続性を示す情報及びコンテンツデータの属性情報に
応じた印刷仕上がり体裁の推定ルールが記述されたデータであって、図４に示すように、
所定の開始タグ（例えば、＜ＤｏｃｕｍｅｎｔＦｉｎｉｓｈｉｎｇＲｕｌｅ＞）と終了タ
グ（例えば、＜／ＤｏｃｕｍｅｎｔＦｉｎｉｓｈｉｎｇＲｕｌｅ＞）との間に、開始タグ
と終了タグとのタグセットを入れ子状に記述することによりコンテンツデータの連続性を
示す情報及びコンテンツデータの属性情報に応じた印刷仕上がり体裁を規定する。例えば
、ＸＭＬ等のマークアップ言語により記述することができる。
【００６５】
タグセット５００、５０２により、コンテンツ連続性解析部２０の解析結果及び属性情
報が条件として規定されている。また、タグセット５０４、５０６により、タグセット５
００、５０２の条件が成立した場合に適用される印刷仕上がり体裁が規定されている。図
４の例では、コンテンツデータのページ数が４ページ（タグ５０７）で、かつ、文字組み
方向が上から下、つまり縦（タグ５０８）であるときは、適用される印刷仕上がり体裁は
、二折りで、折り位置が右となる（タグ５０９）ことを示している。
前記推定ルール選択部３２は、推定ルール記憶部３１に記憶された複数の印刷仕上がり
体裁推定ルールから、コンテンツ連続性解析部２０の解析結果及び属性情報に基づいて前
記印刷仕上がり体裁推定ルールを選択し、これに基づいて仕上がり体裁を推定し、印刷ジ
ョブ定義データ生成部４０に出力する。
【００６６】
前記印刷ジョブ定義データ生成部４０は、印刷仕上がり体裁推定部３０から出力される
印刷仕上がり体裁の推定結果に基づいて、印刷ジョブ仕様データを生成し、出力する（図
２のステップＳ１０８）。印刷ジョブ仕様データは、少なくとも印刷仕上がり体裁を含む
印刷ジョブ定義データであり、印刷設定等の印刷装置に依存する内容は含まず、印刷装置
に依存しない上位の内容が記述される。また、印刷ジョブ仕様データは、例えば、ＸＭＬ
（ｅＸｔｅｎｓｉｂｌｅＭａｒｋｕｐＬａｎｇｕａｇｅ）等のマークアップ言語により記
述することができる。
【００６７】
図５に、印刷ジョブ仕様データに含まれる情報の一例を示す。仕上がり形態の情報は印
刷仕上がり体裁推定部３０から出力される推定結果に対応する情報であり、これに仕上が
りサイズ等の情報が必要に応じて記述される。仕上がりサイズ等の推定結果に含まれない
情報は、コンテンツデータ等から取得する。なお、印刷ジョブ仕様データに、コンテンツ
データ自体を含め、又は、コンテンツデータへのリンクを含めて、コンテンツデータとの
関連付けを行ってもよい。
【００６８】
なお、ホスト端末１００は、図６に示すようなハードウェア構成のコンピュータで構成
されており、ホスト端末１００による前記各部の処理は、印刷支援制御プログラムをコン
ピュータに実行させることで実現される。具体的には、図６に示すように、制御プログラ
ムに基づいて演算およびシステム全体を制御するＣＰＵ１０１と、所定領域にあらかじめ
ＣＰＵ１０１の制御プログラム等を格納しているＲＯＭ１０２と、ＲＯＭ１０２等から読
み出したデータやＣＰＵ１０１の演算過程で必要な演算結果を格納するためのＲＡＭ１０
４と、外部装置に対してデータの入出力を媒介するＩ／Ｆ１０８とで構成されており、こ
れらは、データを転送するための信号線であるバス１０９で相互にかつデータ授受可能に
接続されている。
Ｉ／Ｆ１０８には、外部装置として、ヒューマンインターフェースとしてデータの入力
が可能なキーボードやマウス等からなる入力装置１０５と、データやテーブル等をファイ
ルとして格納する記憶装置１０６と、画像信号に基づいて画面を表示する表示装置１０７
と、ネットワーク１９９に接続するための信号線とが接続されている。
【００６９】
（コンテンツデータの処理例）
次に、以上の構成の印刷支援システムにより、各種のコンテンツデータについて印刷仕
上がり体裁を推定する処理を説明する。
図７（ａ）に、コンテンツデータの一例を示す。図７（ａ）のコンテンツデータは、３
ページで構成され、１ページのページサイズはＡ４、２ページはＡ３、３ページはＡ４と
なっている。また、各ページの文字組み方向は縦である。なお、図中、各ページに示され
た「２１０」、「２９７」等の数値は、ページサイズ（単位は省略）である。以下、この
コンテンツデータを取得したホスト端末１００の処理について説明する。
【００７０】
まず、図７（ａ）のコンテンツデータは異なるページサイズのページが含まれるので、
前処理部１１によりページサイズを揃える処理が行われる。最小ページはＡ４サイズ（縦
２９７ｍｍ×横２１０ｍｍ）であるので、これが基準サイズに設定され（図２のステップ
Ｓ１０２）、全てのページを基準サイズに揃えるコンテンツデータ正規化処理（図２のス
テップＳ１０３）が行われる。２ページ目は横サイズが基準横サイズの２倍であり（図３
のステップＳ２０３：Ｙｅｓ）、かつ、２ページ目の文字組み方向は縦であるので（図３
のステップＳ２０４：縦）、ページ横方向中央で２分割する処理が行われ、右から順に２
ぺージ目、３ページ目とされる（図３のステップＳ２０６）。コンテンツデータ正規化処
理後の正規化コンテンツデータを図７（ｂ）に示す。
【００７１】
前処理部１１による処理が終了すると、属性情報取得処理（図２のステップＳ１０４）
、文字組み方向情報取得処理（図２のステップＳ１０５）、ページ連続性判定処理（図２
のステップＳ１０６）が順に行われ、ページ数が４ページ、文字組み方向が縦との情報が
取得される。なお、内容が連続する関係にあるページ対がないので、ページ連続性判定処
理では検出されない。これらの情報を基に、印刷仕上がり体裁推定処理（図２のステップ
Ｓ１０７）が行われる。この場合、図４に示した印刷仕上がり体裁推定ルールの条件と一
致するので、印刷仕上がり体裁は、二折りで、折り位置が右と推定され、図５に示す情報
を有する印刷ジョブ仕様データが生成される。
図８に、図７（ａ）のコンテンツデータの印刷仕上がり体裁を示す。Ａ３サイズの用紙
を長手方向中央で折り、仕上がりサイズがＡ４で、両面印刷されたものであり、表紙にコ
ンテンツデータの１ページ目、見開きページに２、３ページ目、裏表紙に４ページ目が印
刷される。見開きページは、右ページから左ページに連続している。
【００７２】
なお、図９及び図１０に、ページ数と文字組み方向情報を基に推定される印刷仕上がり
体裁を規定した印刷仕上がり体裁推定ルールの例を示す。図９に示す印刷仕上がり体裁推
定ルールによれば、ページ数が４ページで、文字組み方向が左から右、つまり横（タグ５
１０）である場合は、適用される印刷仕上がり体裁は、二折りで、折り位置が左（タグ５
１１）となる。また、図１０の印刷仕上がり体裁推定ルールによれば、コンテンツデータ
のページ数が４の倍数（図中のｎは自然数）で、かつ４ではなく（つまり８以上の４の倍
数であり）、さらに文字組み方向が横である場合は、適用される印刷仕上がり体裁は、中
綴じで、折り位置が左となる。
【００７３】
次に、図１１に示すコンテンツデータを取得した場合の処理について説明する。
図１１のコンテンツデータは、ページ数が６ページであり、ページサイズがＡ４サイズ
である。全てのページのページサイズが同一であるので、ホスト端末１００の前処理部１
１による処理では、コンテンツデータ正規化処理は行われない（図１のステップＳ１０１
：Ｙｅｓ）。そして、属性情報取得処理（図１のステップＳ１０４）でページ数の情報（
６ページ）が取得され、文字組み方向取得処理（図１のステップＳ１０４）で文字組み方
向情報（横）が取得され、続いてページ連続性判定処理（図１のステップＳ１０６）が行
われる。図１１のコンテンツデータでは、文脈連続性判定部２３ａにおいて、２ページの
「あいう」が、３ページの「えお」と、４ページの「えお」とそれぞれ連続すると判定さ
れる。また、４ページの「かき」と５ページの「くけこ」が連続すると判定される。この
結果、連続関係にある３つのページ対のページ番号の組み合わせ（２と３、２と４、４と
５）が出力される。
【００７４】
先に、図１２に、推定結果となる図１１のコンテンツデータの印刷仕上がり体裁を示す
。図１２の印刷仕上がり体裁は、縦サイズがＡ４の長手方向サイズと同じでかつ横サイズ
がＡ４の短手方向サイズの３倍の用紙を、三折りにしてできる仕上がりサイズＡ４の体裁
である。そして、表紙にはタイトルが表され、表紙を開いた状態で、コンテンツデータの
２、３ページに含まれる「あいうえお」からなる１つの文脈を構成する文字列が見開きペ
ージとして連続的に表され、ページ折りを全て展開した状態で、コンテンツデータの２、
３ページに含まれる「あいうえお」及び４、５ページに含まれる「かきくけこ」の各文字
列が３ページを結合してなる中面に一面的に表され、連続的に閲覧可能になっている。ペ
ージサイズやページ数のみを考えた場合、Ａ４サイズで６ページの印刷物としては、他に
もＡ４判の３枚の用紙の両面に印刷し、それを平綴じしてできる仕上がりサイズＡ４の印
刷物等が考えられる。しかし、上記連続関係にある３つのページ対を、このように印刷物
において連続的に閲覧させることのできる印刷仕上がり体裁となると限られる。
【００７５】
図１３に、図１２に示すような６ページかつ三折りの印刷仕上がり体裁を規定する印刷
仕上がり体裁推定ルールを示す。図１３の印刷仕上がり体裁推定ルールには、条件として
、ページ数（タグ５２０）及び文字組み方向（タグ２１）が規定されるほか、印刷物にお
いて連続的に閲覧される関係にあるページ対（の識別記号）が規定される（Ｄｏｃｕｍｅ
ｎｔＰａｇｅＣｏｎｎｅｃｔｉｏｎタグ５１７〜５１９）。つまり、コンテンツデータに
おいてコンテンツの連続関係にあるページ対と、印刷物において連続的に閲覧される関係
にあるページ対と、を比較することで、当該コンテンツの連続関係にあるページ対が印刷
物において連続的に閲覧されるページ対として実現されるかを判定可能になっている。図
１３の例では、ｂとｃ（タグ５１７）、ｂとｄ（タグ５１８）、及び、ｄとｅ（タグ５１
９）の３つのページ対が、夫々連続的に閲覧されるページ対として規定されている。
【００７６】
ここで、図１４に、６ページで三折り、かつ文字組み方向が横である場合の各ページの
識別記号とページ配置との関係を示す。図１４では、折丁の中面最左ページからｂ，ｄ，
ｅ、外面の最左ページからｃ，ｆ，ａと順に予めアルファベットを割り振っている。ペー
ジ配置に対する識別記号の割り振りは基本的に自由であるが、本実施例では、印刷物の閲
覧上の連続性とアルファべット順ができるだけ一致するようにアルファベットを割り振っ
ている。つまり、文字組み方向が横の場合はページが左から右に進むので、図１４では閲
覧させる状態において、左に位置するページに右に位置するページよりも、上位のアルフ
ァベットを割り振っている。
【００７７】
推定ルール選択部３２では、ＤｏｃｕｍｅｎｔＰａｇｅＣｏｎｎｅｃｔｉｏｎタグを読
み込むと、ＤｏｃｕｍｅｎｔＰａｇｅＣｏｎｎｅｃｔｉｏｎタグにより規定される条件と
ページ連続性判定部２３による判定結果とのマッチングを行い、コンテンツの連続関係に
あるページ対の組み合わせが、印刷物において連続的に閲覧されるページ対の組み合わせ
と一致するかを判定する。この結果、ｂ＝２、ｃ＝３、ｄ＝４、ｅ＝５の対応で、印刷仕
上がり体裁推定ルールの条件が満たされるので、図１１のコンテンツデータに対しては図
１４に示す６ページで三折りの体裁が適用される。これと共に、コンテンツデータの２〜
５ページについては、上記の対応で印刷物におけるページ配置が決定される。
【００７８】
上記の通り、連続性があるページについては、印刷仕上がり体裁推定ルールとのマッチ
ングによってページ配置が決定されるが、残るページについては不定である。ここでは、
上記のように閲覧上の連続性とアルファベット順ができるだけ一致するように設定してい
るので、ページ配置が決まっていないコンテンツデータのページを、ページ番号の小さい
方から順に、上位のアルファベットの空きページに当てはめていく。本実施例ではこの処
理により、１及び６ページについて、ａ＝１，ｆ＝６の対応でページ配置を決定する。
推定ルール選択部３２では、上記のようにして、印刷仕上がり体裁、及び、印刷物にお
けるページ配置位置とコンテンツデータのページとの対応を得ると、この結果を印刷ジョ
ブ定義データ生成部４０に出力する。
【００７９】
図１５に、上記コンテンツデータを印刷するための印刷ジョブ仕様データに含まれるデ
ータ項目の一例を示す。印刷ジョブ定義データ生成部４０は、推定ルール選択部３２から
出力される推定結果に基づいて、図１５に示す印刷ジョブ仕様データを生成する。図１５
の印刷ジョブ仕様データは、仕上がりサイズ横が２１０ｍｍ、仕上がりサイズ縦が２９７
ｍｍ、仕上がり形態が三折り、及び、ページ割付がａ＝１、ｂ＝２、ｃ＝３、ｄ＝４、ｅ
＝５、ｆ＝６という情報を含む。
【００８０】
次に、図１６に示すコンテンツデータを取得した場合の処理について説明する。
図１６のコンテンツデータは、図１５と同様にページ数が６ページ、ページサイズがＡ
４のコンテンツデータであり、文脈ではなく、図形が連続する点で図１５のコンテンツデ
ータと異なっている。以下、同様の処理については省略し、異なる点を中心に説明する。
ホスト端末１００は、図１６のコンテンツデータを取得すると、属性情報取得処理（図
１のステップＳ１０４）でページ数の情報（６ページ）が取得され、文字組み方向取得処
理（図１のステップＳ１０４）で文字組み方向情報（横）が取得され、続いてページ連続
性判定処理（図１のステップＳ１０６）が行われる。図１６のコンテンツデータでは、画
像連続性判定部２３ｂにおいて、前述のページ横方向端部近傍における濃淡ヒストグラム
の比較により、連続関係にある３つのページ対のページ番号の組み合わせ（２と３、２と
４、４と５）が検出される。従って、ページ連続性判定部２３による判定結果は、図１１
に示すコンテンツデータと同じであり、文字組み方向情報及び属性情報も同じであるため
、図１３の印刷仕上がり体裁推定ルールが適用され、印刷仕上がり体裁は三折りで６ペー
ジからなる体裁と推定される。そして、ａ＝１、ｂ＝２、ｃ＝３、ｄ＝４、ｅ＝５、ｆ＝
６の対応で、ページ配置が決定される。
【００８１】
図１７に、図１６のコンテンツデータの印刷仕上がり体裁を示す。仕上がりサイズがＡ
４で、三折り、６ページの印刷仕上がり体裁であり、表紙を開いた状態で、コンテンツデ
ータの２、３ページに表された画像が見開きページとして連続的に閲覧でき、さらに、全
てのページ折りを展開した状態で、コンテンツデータの２、４ページ及び４、５ページの
画像が３ページを結合してなる中面に一面的に表され連続的に閲覧できる。
このように、文脈の連続性だけでなく、画像の連続性によってもコンテンツの連続する
ページ対を判定することができ、これに基づいて、コンテンツが連続する関係にあるペー
ジ対を連続的に閲覧させることができる印刷仕上がり体裁を推定できる。
【００８２】
次に、図１８（ａ）に示すコンテンツデータを取得した場合の処理について説明する。
図１８（ａ）のコンテンツデータは、ページ数が４であり、異なるページサイズのページ
が混在したデータである。
ホスト端末１００が上記コンテンツデータを取得すると、異なるサイズのページが混在
しているため、前処理部１１で全てのページを基準サイズに揃える処理を行う。最小ペー
ジはＡ４サイズであるので、これを基準サイズに設定し（図２のステップＳ１０２）、コ
ンテンツデータ正規化処理を行う。３ページ目は横サイズが基準横サイズの３倍であり（
図３のステップＳ２０３：Ｙｅｓ）、かつ、３ページ目の文字組み方向は横であるので（
図３のステップＳ２０４：横）、横方向に３分割し、左から順に３ぺージ目、４ページ目
、５ページ目に設定する（図３のステップＳ２０６）。正規化後は、図１８（ｂ）に示す
ように全６ページでページサイズがＡ４のコンテンツデータとなる。
【００８３】
前処理部１１による処理が終了すると、属性情報取得処理（図２のステップＳ１０４）
及び文字組み方向情報取得処理（図２のステップＳ１０５）を順に行い、ページ数が６ペ
ージ、文字組み方向が横との情報を取得する。次いで、ページ連続性判定部２３でページ
連続性判定処理（図２のステップＳ１０６）が行われる。このコンテンツデータについて
は、文脈連続性判定部２３ａが文脈の連続性に基づいて、２ページと３ページ、及び４ペ
ージと５ページが連続する関係にあると判定する（これらの連続方向は一致するので、２
−３−４と出力する。）。
【００８４】
図１９に、図１８（ａ）のコンテンツデータに適用される印刷仕上がり体裁推定ルール
を示す。図１９の印刷仕上がり体裁推定ルールには、条件として、ページ数が６ページで
あること（タグ５３１）、文字組み方向が横であること（タグ５３２）及び印刷物におい
て連続的に閲覧される関係にあるページ対がｂ−ｄ−ｅであること（タグ５３３）が規定
される。
【００８５】
推定ルール選択部３２では、ページ数及び文字組み方向が一致すると判定した後、Ｄｏ
ｃｕｍｅｎｔＰａｇｅＣｏｎｎｅｃｔｉｏｎタグを読み込むと、ページ連続性判定部２３
による判定結果とＤｏｃｕｍｅｎｔＰａｇｅＣｏｎｎｅｃｔｉｏｎタグにより規定される
条件とのマッチングを行う。この結果、ｂ＝３、ｄ＝４、ｅ＝５の組み合わせにより条件
が満たされ、タグ５３４規定する三折りの印刷仕上がり体裁が適用可能であると判定され
、３〜５ページのページ配置が決定される。また、残るページについては、前記のように
、コンテンツデータのページ数の上位からアルファベット順に空きページの当てはめを行
う。この結果、１、２及び６ページについて、ａ＝１、ｃ＝２、ｆ＝６の対応でページ配
置を決定する。
【００８６】
印刷ジョブ定義データ生成部４０は、推定ルール選択部３２から出力される推定結果に
基づいて、印刷ジョブ仕様データを生成し、出力する。この印刷ジョブ仕様データは、仕
上がりサイズ横が２１０ｍｍ、仕上がりサイズ縦が２９７ｍｍ、仕上がり形態が三折り、
及び、ページ割付がａ＝１、ｂ＝３、ｃ＝２、ｄ＝４、ｅ＝５、ｆ＝６という情報を含む
。
【００８７】
図２０に、上記のようにして推定した図１８（ａ）のコンテンツデータの印刷仕上がり
体裁を示す。三折り、全６ページで仕上がりサイズＡ４の体裁である。そして、表紙には
タイトルが表され、ページ折りを全て展開した状態で、コンテンツデータの３、４ページ
に含まれる「あいうえお」の文字列及び４、５ページに含まれる「かきくけこ」の文字列
が３ページを結合してなる中面に一面的に表され、連続的に閲覧可能になっている。
【００８８】
以上、第１実施例のように構成すれば、コンテンツデータ取得部１０で取得したコンテ
ンツデータの連続性をコンテンツ連続性解析部２０で解析し、その解析結果に基づいて印
刷仕上がり体裁推定ルールを選択、適用することで、一元的に配列されたコンテンツデー
タに基づいてページ折り等を含む印刷仕上がり体裁を再現できる。そして、印刷ジョブ定
義データ生成部４０が推定された印刷仕上がり体裁を含む印刷ジョブ仕様データを生成し
、出力する。これにより、例えば、印刷ジョブ仕様データを受信した端末で、当該印刷ジ
ョブ仕様データに基づき印刷装置に応じた印刷ジョブ設定データを生成し、印刷装置に出
力することで、各種の印刷装置において推定した適切な印刷仕上がり体裁でコンテンツデ
ータを印刷することができる。また、この印刷ジョブ仕様データを記憶しておけば、その
後に利用したり、さらに仕様の追加や変更を行って利用することもできる。
【００８９】
また、コンテンツの連続性を示す情報として、文字組み方向情報取得部２２で文字組み
方向情報を取得し、推定に利用することで、文脈の連続性等を判定しなくても、綴じ位置
等、連続するページ間におけるコンテンツの連続方向を判定でき、さらに属性情報を参照
することで印刷仕上がり体裁を推定できる。また、文脈連続性判定部２３ａや画像連続性
判定部２３ｂで文脈の連続性や画像の連続性を判定することで、コンテンツデータ上は連
続していないページ間の連続性を検出することができ、これによりページ折り等を含む印
刷仕上がり体裁を推定することができる。
【００９０】
上記第１実施例において、コンテンツデータ取得部１０が形態１のコンテンツデータ取
得手段に相当し、属性情報取得部１３が形態２の属性情報取得手段に相当し、印刷仕上が
り体裁推定部３０が形態１〜３、形態５、形態８及び形態９の印刷仕上がり体裁推定手段
に相当し、文字組み方向情報取得部２２が形態３の文字組み方向情報取得手段に相当し、
ページ連続性判定部２３が形態５〜７のページ連続性判定手段に相当し、文脈連続性判定
部２３ａが形態６の文脈連続性判定手段に相当し、画像連続性判定部２３ｂが形態７の画
像連続性判定手段に相当し、印刷ジョブ定義データ生成部４０が形態８の印刷ジョブ定義
データ生成手段に相当する。
【００９１】
また、コンテンツデータ取得部１０によるコンテンツデータの取得処理が形態１０及び
形態１９のコンテンツデータ取得ステップに相当し、図２のフローチャートに示すステッ
プＳ１０４の属性情報取得処理が形態１１及び形態２０の属性情報取得ステップに相当し
、図２のステップＳ１０５の文字組み方向情報取得処理が形態１２及び形態２１の文字組
み方向情報取得ステップに相当し、ステップＳ１０６のページ連続性判定処理が形態１４
〜１６及び形態２３〜２５のページ連続性判定ステップに相当し、ステップＳ１０７の印
刷仕上がり体裁推定処理が形態１０〜１２、形態１７、形態１９〜２１及び形態２６の印
刷仕上がり体裁推定ステップに相当し、ステップＳ１０８の印刷ジョブ定義データ生成処
理が形態１７及び形態２６の印刷ジョブ定義データ生成ステップに相当し、文脈連続性判
定部２３ａによる処理が形態１５及び形態２４の文脈連続性判定ステップに相当し、画像
連続性判定部２３ｂによる処理が形態１６及び形態２５の画像連続性判定ステップに相当
する。
【００９２】
なお、本発明の適用は上記第１実施例に限定されない。例えば、コンテンツデータはペ
ージ記述言語により記述されたものに限定されない。例えば、コンテンツデータとしてＪ
ＰＥＧやＴＩＦＦ形式のような画像データが入力された場合には、画像データの大きさ（
縦横の画素数）と、ヘッダー部に記述されている解像度情報（３００ｄｐｉなど）からペ
ージサイズを計算する処理を含んでもよい。
また、前処理部１１において、コンテンツデータのページサイズの判定を行うことなく
、全てのコンテンツデータに対しコンテンツデータ正規化処理を行ってもよい。
【００９３】
また、上記実施例では、１つの種類の印刷仕上がり体裁に対し、印刷物において連続的
に閲覧される関係にあるページ対の組み合わせごとに複数の印刷仕上がり体裁推定ルール
を設けている（図１３と図１９の印刷仕上がり体裁推定ルール）。１つの種類の印刷仕上
がり体裁に対し、印刷仕上がり体裁推定ルールを１つだけ設け、連続的に閲覧される関係
にある全てのページ対を規定し、少なくともページ連続性判定部２３で検出したページ対
を全て含むかを判定することで、適用可能な印刷仕上がり体裁推定ルールを選択してもよ
い。
【００９４】
［第２実施例］
次に、本発明の第２実施例について説明する。なお、第１実施例と同じ部分については
説明を省略し、異なる部分を中心に説明する。
図２１に、第２実施例にかかる印刷支援システムの構成を示す。
図２１の印刷支援システムは、ホスト端末１０１と、印刷装置２００と、を備えて構成
される。図２１のホスト端末１０１は、第１実施例にかかるホスト端末１０１の構成とほ
ぼ同じであるが、印刷装置情報取得部５０をさらに備えている。印刷装置情報取得部５０
は、ホスト端末１０１に接続する印刷装置２００からその機器能力を示す印刷装置情報を
取得し、印刷ジョブ定義データ生成部４１に出力する。そして、印刷ジョブ定義データ生
成部４１は、印刷装置情報取得部５０から出力される印刷装置情報に基づいて印刷ジョブ
設定データを生成し、印刷装置２００に出力する。これら印刷装置情報取得部５０による
印刷装置情報取得処理及び印刷ジョブ定義データ生成部４１による印刷ジョブ設定データ
の生成処理は、印刷支援プログラムをＣＰＵ１０１が実行することで実現される。
【００９５】
印刷ジョブ設定データは、印刷処理に用いる印刷装置２００の詳細な設定データを含む
印刷ジョブ定義データである。本実施例では、印刷ジョブ設定データでは、少なくとも仕
上がり形態（折り種類、折り位置等）が記述され、その他に印刷に必要な情報（供給用紙
サイズ、カラー印刷の有無、用紙種類、両面印刷の有無、印刷速度、解像度等）や印刷装
置２００固有の設定情報（部数単位印刷、給紙トレイの設定、排紙トレイの設定、節約モ
ード等）が記述される。印刷ジョブ設定データも、印刷ジョブ仕様データと同様にＸＭＬ
等のマークアップ言語により記述することができる。
【００９６】
印刷装置２００は、印刷ジョブ定義データ生成部４１から出力される印刷ジョブ設定デ
ータ、及び、ホスト端末１０１から出力される正規化コンテンツデータに基づいて、推定
された印刷仕上がり体裁でコンテンツデータの印刷を行う。
以上のように、印刷装置の機器能力を示す印刷装置情報を印刷装置情報取得部５０にお
いて取得し、印刷ジョブ定義データ生成部４１は、印刷仕上がり体裁推定部３０による推
定結果に応じて、印刷装置２００の印刷設定を含む印刷ジョブ定義データを生成すること
で、印刷装置２００がコンテンツデータに応じた適切な印刷仕上がり体裁で印刷を行うこ
とができる。
【００９７】
上記第２実施例において、印刷装置情報取得部５０が形態９の印刷装置情報取得手段に
相当し、当該印刷装置情報取得部５０による印刷装置２００からの印刷装置情報の取得処
理が形態１８及び形態２７の印刷装置情報取得ステップに相当し、印刷ジョブ定義データ
生成部４１が形態９の印刷ジョブ定義データ生成手段に相当し、当該印刷ジョブ定義デー
タ生成部４１による印刷ジョブ設定データの生成処理が形態１８及び形態２７の印刷ジョ
ブ定義データ生成ステップに相当する。
【００９８】
［第３実施例］
次に、本発明の第３実施例について説明する。なお、第１実施例と同じ部分については
説明を省略し、異なる部分を中心に説明する。
図２２に、第３実施例にかかる印刷支援システムの構成を示す。
図２２の印刷支援システムは、ホスト端末１０２を備えて構成される。図２２のホスト
端末１０２は、第１実施例にかかるホスト端末１００とほぼ同じ構成であるが、コンテン
ツ連続性解析部２０に図１のページ連続性判定部２３を含まず、文字組み方向情報取得部
２２により取得する文字組み情報のみをコンテンツ連続性解析部２０の解析結果として出
力する点で異なっている。
【００９９】
また、ホスト端末１０２は、文字組み方向判定部２２ａを備えており、文字組み方向情
報取得部２２は、文字組み方向判定部２２ａから出力される判定結果を文字組み方向情報
として取得する。文字組み方向判定部２２ａは、コンテンツデータに基づいて文字組み方
向を判定する機能を有する。具体的には、前記のように、コンテンツデータ中に文字組み
方向情報が含まれている場合は、当該文字組み方向情報を取得し、文字組み方向情報取得
部２２に出力する。また、コンテンツデータに文字組み方向情報が含まれず、文字単位で
文字コードと配置する位置が記述されている場合は、連続する文字描画命令によって連続
して描画される文字同士の位置関係から文字組み方向を判定する。なお、さらに連続する
文字描画命令によって描画される文字コードを構文解析して、それらの文字が文字列を構
成する連続する文字であることを確認することにより、文字組み方向の判定を確実にする
ことができる。
【０１００】
このように、コンテンツの連続性に関する情報が文字組み方向情報のみであっても、折
り位置（綴じ位置）を判定できるので、例えば、図７（ａ）に示すようなコンテンツデー
タの印刷仕上がり体裁を推定できる。
上記文字組み方向判定部２２ａが形態４の文字組み方向判定手段に相当する。また、上
記文字組み方向判定部２２ａによる文字組み方向判定処理は、印刷支援プログラムをＣＰ
Ｕ１０１が実行することで実現され、従って、文字組み方向判定部２２ａによる文字組み
方向判定処理が形態１３及び形態２２の文字組み方向判定ステップに相当する。
【０１０１】
なお、本発明の適用は上記第３実施例に限定されない。例えば、ホスト端末１００は、
コンテンツ連続性解析部２０に文字組み方向情報取得部２２を含まず、ページ連続性判定
部２３のみを含む構成であってもよい。この場合、例えば、図１６に示すように画像が複
数のページにまたがって記述されるようなコンテンツデータであれば、ページ連続性判定
部２３によりページをまたぐ画像の連続方向（左ページから右ページに向かって連続して
いるか、右ページから左ページに向かって連続しているか、上下方向に連続しているか等
）を判定することで、折り位置も判定できる。
【図面の簡単な説明】
【０１０２】
【図１】第１実施例にかかる印刷支援システムの構成を示す図である。
【図２】ホスト端末による処理のフローチャートである。
【図３】コンテンツデータ正規化処理のフローチャートである。
【図４】印刷仕上がり体裁推定ルールのデータ構造を示す図である。
【図５】印刷ジョブ仕様データに含まれる情報の一例を示す図である。
【図６】ホスト端末のハードウェア構成を示す図である。
【図７】（ａ）はコンテンツデータの一例を示す図、（ｂ）は正規化コンテンツデータを示す図である。
【図８】図７（ａ）のコンテンツデータの印刷仕上がり体裁を示す図である。
【図９】印刷仕上がり体裁推定ルールの一例を示す図である。
【図１０】印刷仕上がり体裁推定ルールの一例を示す図である。
【図１１】コンテンツデータの一例を示す図である。
【図１２】図１１のコンテンツデータの印刷仕上がり体裁を示すである。
【図１３】図１２の印刷仕上がり体裁を規定する印刷仕上がり体裁推定ルールを示す図である。
【図１４】各ページの識別記号とページ配置との関係を示す図である。
【図１５】印刷ジョブ仕様データに含まれるデータ項目の一例を示す図である。
【図１６】コンテンツデータの一例を示す図である。
【図１７】図１６のコンテンツデータの印刷仕上がり体裁を示す図である。
【図１８】（ａ）コンテンツデータの一例を示す図、（ｂ）は正規化コンテンツデータを示す図である。
【図１９】図１８（ａ）のコンテンツデータに適用される印刷仕上がり体裁推定ルールを示す図である．
【図２０】図１８（ａ）のコンテンツデータの印刷仕上がり体裁を示す図である。
【図２１】第２実施例にかかる印刷支援システムの構成を示す図である。
【図２２】第３実施例にかかる印刷支援システムの構成を示す図である。
【符号の説明】
【０１０３】
１０   コンテンツデータ取得部、１１       前処理部、１２       コンテンツデータ
保持部、１３    属性情報取得部、２０ コンテンツ連続性解析部、２２       文字組み
方向情報取得部、２３   ページ連続性判定部、２３ａ  文脈連続性判定部、２３ｂ    
画像連続性判定部、３０   印刷仕上がり体裁推定部、３１       推定ルール記憶部、３
２         推定ルール選択部、４０      印刷ジョブ定義データ生成部
【図１】
2008165305.tif 000003
【図２】
2008165305.tif 000004
【図３】
2008165305.tif 000005
【図４】
2008165305.tif 000006
【図５】
2008165305.tif 000007
【図６】
2008165305.tif 000008
【図７】
2008165305.tif 000009
【図８】
2008165305.tif 000010
【図９】
2008165305.tif 000011
【図１０】
2008165305.tif 000012
【図１１】
2008165305.tif 000013
【図１２】
2008165305.tif 000014
【図１３】
2008165305.tif 000015
【図１４】
2008165305.tif 000016
【図１５】
2008165305.tif 000017
【図１６】
2008165305.tif 000018
【図１７】
2008165305.tif 000019
【図１８】
2008165305.tif 000020
【図１９】
2008165305.tif 000021
【図２０】
2008165305.tif 000022
【図２１】
2008165305.tif 000023
【図２２】
2008165305.tif 000024